(57)【要約】【課題】表示パネルの大型化に対しても、より適切に表示パネルをチルト可能なチルト構造を提供する。【解決手段】チルト機構２０は、ガイド軸４７及びガイド部材２６と、スライダーギア軸３６及び下部折曲げ部２８ａとを備える。ガイド軸４７は、表示パネル１２の上端側を上下方向に移動するように規制する。スライダーギア軸３６は、表示パネル１２の下端側を表示パネル１２の前後方向へ移動させる。ガイド部材２６は、ガイド軸４７を案内する。下部折曲げ部２８ａは、スライダーギア軸３６を表示パネル１２に沿って案内する。【選択図】図５
2020107788.tif 000002
【特許請求の範囲】
【請求項１】
パネルの上端側を上下方向に移動するように規制する上下移動軸及び前記上下移動軸を案内する上下案内部と、前記パネルの下端側を前記パネルの前後方向へ移動させる前後移動軸及び前記前後移動軸を前記パネルに沿って案内するパネル案内部とを備えることを特徴とするパネルのチルト構造。
【請求項２】
前記パネルの傾斜に応じて前記上下移動軸及び前記前後移動軸を前記パネルに対して移動させる軸移動機構を備えることを特徴とする請求項１に記載のパネルのチルト構造。
【請求項３】
前記軸移動機構は、前記前後移動軸を前後方向に移動可能なスライダーと、前記スライダーの端部に固定されるとともに前記前後移動軸を中心に前記パネルに対して相対回動可能なスライダーギアと、前記スライダーギアに対する前記パネルの傾斜に伴い前記スライダーギアとの噛み合いによって前記パネルに沿って移動可能な可動ラックギアと、前記パネルに固定された固定ラックギアと、前記可動ラックギア及び前記固定ラックギアのそれぞれに噛み合いながら挟持されるアイドラギアと、前記アイドラギアの回転軸及び前記上下移動軸を支持する軸支持部材とを備えることを特徴とする請求項２に記載のパネルのチルト構造。
【請求項４】
前記軸支持部材は、前記パネル側に設けられたガイドピンに係合するカム穴を備え、前記ガイドピンと前記カム穴との係合により、前記軸支持部材は、前記パネルと垂直な方向に前記アイドラギアの回転軸を中心に揺動することを特徴とする請求項３に記載のパネルのチルト構造。
【請求項５】
前記アイドラギアは、歯が欠けたギア間欠部を備え、前記可動ラックギアは、歯が欠けたラックギア間欠部と、前記ラックギア間欠部に隣接して前記ギア間欠部に係合可能な幅広歯部を備えることを特徴とする請求項３又は４に記載のパネルのチルト構造。
【請求項６】
前記アイドラギアは、前記可動ラックギアに噛み合う小径ギアと、前記固定ラックギアに噛み合う大径ギアとから構成されることを特徴とする請求項５に記載のパネルのチルト構造。
【発明の詳細な説明】
【技術分野】
【０００１】
本発明は、パネルのチルト構造に関する。
【背景技術】
【０００２】
従来、例えば、特許文献１に記載されたディスプレイ部のチルト構造が知られている。
特許文献１において、ディスプレイ部の上部が、本体部に形成されたガイド溝に上下スライド可能に設けられ、ディスプレイ部の下部が、スライド機構によって前後方向に移動可能に設けられ、スライド機構の前後の移動に伴い、ディスプレイ部が本体部に対して上下にチルト可能となる。
【先行技術文献】
【特許文献】
【０００３】
【特許文献１】特開２００７−１５３２５１号公報
【発明の概要】
【発明が解決しようとする課題】
【０００４】
特許文献１のディスプレイ装置では、スライド機構のスライド量を増やすことが困難であるため、例えば、大型のディスプレイ部を用いると、ディスプレイ部を十分な角度までチルトさせることができない可能性があった。ディスプレイ部を十分な角度までチルトさせることができない場合、本体部に設けられたＳＤカード挿入口等をユーザが利用できなくなる可能性があった。
本発明は、ディスプレイ部（パネル）の大型化に対しても、より適切にディスプレイ部をチルト可能なチルト構造を提供することを目的とする。
【課題を解決するための手段】
【０００５】
パネルのチルト構造は、パネルの上端側を上下方向に移動するように規制する上下移動軸及び前記上下移動軸を案内する上下案内部と、前記パネルの下端側を前記パネルの前後方向へ移動させる前後移動軸及び前記前後移動軸を前記パネルに沿って案内するパネル案内部とを備えることを特徴とする。
【０００６】
上記構成において、前記パネルの傾斜に応じて前記上下移動軸及び前記前後移動軸を前記パネルに対して移動させる軸移動機構を備えても良い。
【０００７】
また、上記構成において、前記軸移動機構は、前記前後移動軸を前後方向に移動可能なスライダーと、前記スライダーの端部に固定されるとともに前記前後移動軸を中心に前記パネルに対して相対回動可能なスライダーギアと、前記スライダーギアに対する前記パネルの傾斜に伴い前記スライダーギアとの噛み合いによって前記パネルに沿って移動可能な可動ラックギアと、前記パネルに固定された固定ラックギアと、前記可動ラックギア及び前記固定ラックギアのそれぞれに噛み合いながら挟持されるアイドラギアと、前記アイドラギアの回転軸及び前記上下移動軸を支持する軸支持部材とを備えても良い。
【０００８】
また、上記構成において、前記軸支持部材は、前記パネル側に設けられたガイドピンに係合するカム穴を備え、前記ガイドピンと前記カム穴との係合により、前記軸支持部材は、前記パネルと垂直な方向に前記アイドラギアの回転軸を中心に揺動するようにしても良い。
【０００９】
また、上記構成において、前記アイドラギアは、歯が欠けたギア間欠部を備え、前記可動ラックギアは、歯が欠けたラックギア間欠部と、前記ラックギア間欠部に隣接して前記ギア間欠部に係合可能な幅広歯部を備えるようにしても良い。
また、上記構成において、前記アイドラギアは、前記可動ラックギアに噛み合う小径ギアと、前記固定ラックギアに噛み合う大径ギアとから構成されるようにしても良い。
【発明の効果】
【００１０】
パネルのチルト構造は、パネルの上端側を上下方向に移動するように規制する上下移動軸及び上下移動軸を案内する上下案内部と、パネルの下端側をパネルの前後方向へ移動させる前後移動軸及び前後移動軸をパネルに沿って案内するパネル案内部とを備えるので、前後移動軸をパネルに沿って案内するようにしたことで、パネルを前後移動軸に対して相対移動できるため、パネルとパネル近傍とのクリアランスを確保することが可能になり、大型のパネルでもより適切にチルトできる。
【図面の簡単な説明】
【００１１】
【図１】本発明の第１実施形態に係る車載装置を示す斜視図である。
【図２】車載装置における表示パネルのチルト状態を示す斜視図である。
【図３】初期状態の車載装置を示す側面図である。
【図４】表示パネル及び左右のチルト本体部を示す斜視図である。
【図５】初期状態のチルト本体部の構造を示す側面図である。
【図６】図５からガイド部材及びガイドプレートを省いた状態を示す側面図である。
【図７】図６のＶＩＩ矢視図である。
【図８】図５のＶＩＩＩ−ＶＩＩＩ線断面図である。
【図９】図５のＩＸ−ＩＸ線断面図である。
【図１０】図５のＸ−Ｘ線断面図である。
【図１１】第１実施形態のチルト機構の作用を示す第１作用図である。
【図１２】第１実施形態のチルト機構の作用を示す第２作用図である。
【図１３】第２実施形態の初期状態におけるチルト機構を示す側面図である。
【図１４】初期状態におけるチルト本体部の一部を示す正面図である。
【図１５】可動ラックギアを示す正面図である。
【図１６】アイドラギアを示す図であり、図１６（Ａ）はアイドラギアの右側面図、図１６（Ｂ）は図１６（Ａ）のＢ矢視図、図１６（Ｃ）は図１６（Ｂ）のＣ矢視図である。
【図１７】図１４のＸＶＩＩ−ＸＶＩＩ線断面図である。
【図１８】第２実施形態のチルト機構の作用を示す作用図であり、図１８（Ａ）はチルト機構の初期状態を示す図、図１８（Ｂ）は初期状態からスライダーギアが、表示パネルに対して相対回転を開始した直後の状態を示す図、図１８（Ｃ）はチルト機構のチルト完了状態を示す図である。
【図１９】第３実施形態の初期状態におけるチルト機構を示す側面図である。
【図２０】初期状態におけるチルト本体部の一部を示す正面図である。
【図２１】可動ラックギアを示す正面図である。
【図２２】アイドラギアを示す図であり、図２２（Ａ）はアイドラギアの右側面図、図２２（Ｂ）は図２２（Ａ）のＢ矢視図、図２２（Ｃ）は図２２（Ｂ）のＣ矢視図である。
【図２３】図２０のＸＸＩＩＩ−ＸＸＩＩＩ線断面図である。
【図２４】第３実施形態のチルト機構の作用を示す作用図であり、図２４（Ａ）はチルト機構の初期状態を示す図、図２４（Ｂ）は初期状態からスライダーギアが、表示パネルに対して相対回転を開始した直後の状態を示す図、図２４（Ｃ）はチルト機構のチルト完了状態を示す図である。
【発明を実施するための形態】
【００１２】
以下、図面を参照して本発明の各実施形態について説明する。なお、各図に示す符号ＦＲは車載装置１０の前方を示し、符号ＵＰは車載装置１０の上方を示し、符号ＬＨは車載装置１０に向かって左方を示している。
＜第１実施形態＞
図１は、本発明の第１実施形態に係る車載装置１０を示す斜視図、図２は、車載装置１０における表示パネル１２のチルト状態を示す斜視図である。
図１に示すように、車載装置１０は、ＣＤ、ＤＶＤ等を再生するオーディオ装置、指定された目的地までの経路を探索するナビゲーション装置等の車載用電子機器であり、車両のインストルメントパネル等に設けられる収納スペースに埋め込まれて搭載される。
車載装置１０は、上記収納スペースに嵌め込まれる装置本体１１と、装置本体１１の前方に縦に配置された表示パネル１２とを備える。
【００１３】
装置本体１１は、前部に枠状のインナーエスカッション１４を備え、インナーエスカッション１４の前方に表示パネル１２が配置されている。表示パネル１２は、インナーエスカッション１４内に一部が収納されても良い。また、表示パネル１２は、前面１２ａにタッチパネルを備えていても良い。
図２に示すように、表示パネル１２は、装置本体１１に対して上下にチルト可能である。表示パネル１２を、図１に示した初期状態からチルトさせた（前下がりに傾斜させた又は横にさせた）チルト完了状態にできる。このようなチルト完了状態では、装置本体１１の前面１１ａに設けられたＣＤ、ＤＶＤ等のディスク挿入口１１ｂやＳＤカード等のカード挿入口１１ｃが露出して、ディスク、カードが挿入可能になる。
【００１４】
図３は、初期状態の車載装置１０を示す側面図である。
装置本体１１内及びインナーエスカッション１４内には、表示パネル１２をチルトさせるチルト機構２０が設けられている。
チルト機構２０は、装置本体１１内の下部に前後に延びるように配置されたスライド機構２１と、スライド機構２１によってチルト動作を発生させるチルト動作発生機構２２とを備える。
スライド機構２１は、装置本体１１の下部に設けられた左右一対のレール（不図示）と、左右のレールにそれぞれスライド可能に支持された左右一対のスライダー２４とから構成される。
チルト動作発生機構２２は、インナーエスカッション１４の左右の側壁１４ａにそれぞれ設けられたガイド部材２６と、表示パネル１２と一体的に、ガイド部材２６に沿って上下に移動し且つスライダー２４によって前後移動するチルト本体部２７とを備える。
チルト本体部２７は、表示パネル１２の背面に設けられるとともにインナーエスカッション１４内に配置されている。
【００１５】
図４は、表示パネル１２及び左右のチルト本体部２７を示す斜視図である。
なお、図４では、チルト本体部２７のスライダーギア３５（図３参照）を省いている。
チルト本体部２７は、表示パネル１２の背面１２ｂに取付けられたパネルブラケット２８の両端部に設けられている。左側のチルト本体部２７を構成する部品と右側のチルト本体部２７を構成する部品とは、部品毎に左右対称な形状を有する。
上記した表示パネル１２、左右のチルト本体部２７及びパネルブラケット２８は、一体的に傾斜可能なチルト部３０を構成する。
パネルブラケット２８は、後方に折り曲げられた下部折曲げ部２８ａ及び上部折曲げ部２８ｂを左右の端部に備え、下部折曲げ部２８ａに長穴とされた折曲げ部ガイド穴２８ｃが形成されている。
【００１６】
チルト本体部２７は、表示パネル１２の背面１２ｂにパネルブラケット２８を介して複数のビス３１で取付けられたラックガイドプレート３２と、表示パネル１２及びラックガイドプレート３２のそれぞれの間の空間を移動可能なガイドプレート３３（左右一方のガイドプレート３３のみ図示）とを備える。
ラックガイドプレート３２は、パネルブラケット２８の背面２８ｄ側から後方に延びる側壁部３２ａと、側壁部３２ａから屈曲して表示パネル１２の側縁側に延びる後壁部３２ｂとを備える。
側壁部３２ａは、上下方向に延びるとともに上下に並ぶように形成された長穴状の一対の側壁ガイド穴３２ｃ（左右一方のチルト本体部２７の一対の側壁ガイド穴３２ｃのみ図示）を備える。後壁部３２ｂは、上下方向に延びるとともに上下に並ぶように形成された長穴状の一対の後壁ガイド穴３２ｄを備える。
【００１７】
図５は、初期状態のチルト本体部２７の構造を示す側面図、図６は、図５からガイド部材２６及びガイドプレート３３を省いた状態を示す側面図、図７は、図６のＶＩＩ矢視図である。
図５及び図６において、ガイド部材２６は、側面視Ｓ字状に形成され、ガイド部材２６に形成されるカム穴２６ａも側面視Ｓ字状に形成されている。
チルト本体部２７は、スライダーギア３５、スライダーギア軸３６、下部折曲げ部２８ａ、可動ラックギア３７、アイドラギア３８、固定ラックギア４１、ガイドプレート３３、アイドラ軸４３、ガイドローラ４４、アイドラプレート４６、ガイド軸４７を備える。
【００１８】
スライダーギア３５は、スライダー２４の先端部に固定された扇形状の部材である。スライダーギア軸３６は、スライダー２４及びスライダーギア３５の回動軸である。下部折曲げ部２８ａは、スライダーギア軸３６を案内する上下に延びる折曲げ部ガイド穴２８ｃを備える。可動ラックギア３７は、スライダーギア３５に噛み合うとともにラックガイドプレート３２に上下移動可能に設けられる。アイドラギア３８は、固定ラックギア４１に噛み合って可動ラックギア３７と固定ラックギア４１との間に上下移動可能に設けられる。
【００１９】
固定ラックギア４１は、パネルブラケット２８に固定されている。ガイドプレート３３は、一端にアイドラ軸４３を介してアイドラギア３８を回転可能に支持するとともに他端にガイド軸４７を介してガイドローラ４４を回転可能に支持する。ガイドプレート３３の長手方向の中間部には屈曲したカム穴３３ａが形成され、カム穴３３ａには、パネルブラケット２８の上部折曲げ部２８ｂに設けられたガイドピン５１が挿入される。カム穴３３ａは、後上がりとされた上部穴部３３ｂと、上部穴部３３ｂの下端から屈曲して後下がりとされた下部穴部３３ｃとからなる。上部穴部３３ｂと下部穴部３３ｃとは、屈曲部３３ｄを介して連続して形成される。チルト本体部２７の初期状態では、ガイドピン５１は、上部穴部３３ｂの上端部に位置する。
【００２０】
アイドラプレート４６は、ラックガイドプレート３２に上下移動可能に設けられ、一端にアイドラ軸４３を介してアイドラギア３８を回転可能に支持する。アイドラプレート４６の上部にはアイドラピン５２が取付けられ、アイドラ軸４３及びアイドラピン５２が、ラックガイドプレート３２の側壁部３２ａの上下の側壁ガイド穴３２ｃに挿入されている。ガイド軸４７は、ガイドプレート３３の上端部に設けられ、ガイドローラ４４を回転可能に支持する。ガイドローラ４４は、ガイド部材２６のカム穴２６ａに挿入されて案内される。
【００２１】
上記したカム穴３３ａを設けることで、ガイドプレート３３を、表示パネル１２の傾斜状態に応じてアイドラ軸４３を中心にして表示パネル１２に垂直な方向へ揺動させることができる。これにより、表示パネル１２の傾斜途中で、表示パネル１２を装置本体１１から引き離すことができ、チルト量を確保できる。
図７に示すように、可動ラックギア３７の背面３７ａには、上下一対のラックピン５４が取付けられ、上下のラックピン５４が、それぞれラックガイドプレート３２の後壁部３２ｂの上下の後壁ガイド穴３２ｄに挿入され、可動ラックギア３７が案内される。
【００２２】
図５及び図６に示したチルト本体部２７からスライダーギア軸３６及びガイド軸４７を除くとともスライダー２４を加えた構成が、スライダーギア軸３６及びガイド軸４７を表示パネル１２に対して移動させる軸移動機構５５である。
即ち、軸移動機構５５は、スライダー２４、スライダーギア３５、下部折曲げ部２８ａ、可動ラックギア３７、アイドラギア３８、固定ラックギア４１、アイドラ軸４３、ガイドプレート３３、ガイドローラ４４、アイドラプレート４６を備える。
【００２３】
図８は、図５のＶＩＩＩ−ＶＩＩＩ線断面図である。
スライダー２４には、スライダーギア３５が複数のビスで取付けられる。
スライダー２４にはねじ穴２４ａが形成されている。スライダーギア３５には、貫通穴３５ａが開けられている。
スライダーギア３５の貫通穴３５ａに通されるスライダーギア軸３６は、筒部３６ａと、筒部３６ａの端部に一体に形成されたフランジ部３６ｂとを備える。
【００２４】
スライダーギア軸３６には，ばねワッシャ５７及び平ワッシャ５８が嵌められ、この状態でスライダーギア軸３６は、下部折曲げ部２８ａの折曲げ部ガイド穴２８ｃに挿入されるとともにスライダーギア３５の貫通穴３５ａに挿入される。この後、スライダーギア軸３６の中空部３６ｃにビス６１が挿入され、ビス６１の先端部のねじ部６１ａが、スライダー２４のねじ穴２４ａにねじ結合される。このような構造により、スライダー２４及びスライダーギア３５は、スライダーギア軸３６を中心にして揺動可能になる。また、スライダーギア軸３６は、下部折曲げ部２８ａの折曲げ部ガイド穴２８ｃ内で移動可能になる。
【００２５】
図９は、図５のＩＸ−ＩＸ線断面図である。
ガイドプレート３３及びアイドラプレート４６には、それぞれ下端部貫通穴３３ｅ、貫通穴４６ａが開けられている。
アイドラ軸４３は、円柱状の軸部４３ａと、軸部４３ａの一端部に一体に形成された頭部４３ｂとからなる。頭部４３ｂは、軸部４３ａに隣接するフランジ部４３ｃと、フランジ部４３ｃに隣接するプレート嵌合部４３ｄとを備える。
アイドラ軸４３の軸部４３ａは、下端部貫通穴３３ｅに挿入される。アイドラ軸４３のプレート嵌合部４３ｄは、アイドラプレート４６の貫通穴４６ａに挿入され、この後に、プレート嵌合部４３ｄの端面が加締められる。これにより、フランジ部４３ｃがアイドラプレート４６に密着しつつアイドラプレート４６にアイドラ軸４３が固定される。アイドラギア３８は、アイドラ軸４３の軸部４３ａに回転可能に支持される。
【００２６】
図１０は、図５のＸ−Ｘ線断面図である。
ガイドプレート３３の上端部には上端部貫通穴３３ｆが開けられている。
ガイド軸４７は、円柱状の軸部４７ａと、軸部４７ａの一端部に一体に形成された頭部４７ｂとからなる。頭部４７ｂは、軸部４７ａに隣接するフランジ部４７ｃと、フランジ部４７ｃに隣接してガイドプレート３３の上端部貫通穴３３ｆに嵌合するプレート嵌合部４７ｄとを備える。
ガイドプレート３３の上端部貫通穴３３ｆには、ガイド軸４７のプレート嵌合部４７ｄが挿入されるとともにプレート嵌合部４７ｄの端面が加締められて、ガイドプレート３３にガイド軸４７が固定される。
ガイド軸４７の軸部４７ａには、ガイドローラ４４の中空部４４ａが回転可能に嵌められ、ガイドローラ４４が、ガイド部材２６のカム穴２６ａに沿って案内される。
【００２７】
以上に述べた第１実施形態のチルト機構２０の作用を次に説明する。
図１１は、第１実施形態のチルト機構２０の作用を示す第１作用図である。
なお、図中には、初期状態の表示パネル１２及びガイドプレート３３を二点鎖線で示している。
図５に示したチルト機構２０の初期状態からスライダー２４を、矢印Ａに示すように前方に押し出すと、表示パネル１２は、初期状態の表示パネル１２の位置から、矢印Ｂに示すように表示パネル１２の下端側が揺動して傾斜し、前下がりの状態となる。
表示パネル１２（詳しくは、表示パネル１２の前面１２ａ）の傾斜角度はθ１である。このとき、表示パネル１２と共に可動ラックギア３７も同じ傾斜角度θ１だけ傾くため、静止しているスライダーギア３５と、可動ラックギア３７との間に相対回転が生じる。
【００２８】
この結果、可動ラックギア３７は、ラックガイドプレート３２の後壁部３２ｂに対して上方斜め後方に矢印Ｃに示すように移動する。可動ラックギア３７が移動すると、アイドラギア３８が、矢印Ｄに示すように回転しながら固定ラックギア４１と噛み合うので、アイドラギア３８は、矢印Ｅに示すように可動ラックギア３７と同じ方向に移動する。
これにより、アイドラギア３８と一体的にガイドプレート３３が上方斜め後方に相対移動する。このときのアイドラギア３８（詳しくは、アイドラ軸４３）の初期位置からの移動量（表示パネル１２の前面１２ａに沿った移動量）はα１である。スライダーギア３５（詳しくは、スライダーギア軸３６）の初期位置からの相対移動量（下部折曲げ部２８ａに対する相対移動量）もα１である。
【００２９】
このとき、表示パネル１２に対するガイドプレート３３の突出量β１（表示パネル１２の上端面１２ｃから、ガイドプレート３３において表示パネル１２の前面１２ａに沿う方向で最も上端の部分までの突出量β１）は、表示パネル１２の初期位置での突出量−β０（マイナスβゼロ）より大きい。これは、表示パネル１２がガイドプレート３３に対して下方斜め前方に移動しているということである。即ち、表示パネル１２は、車載装置１０（図３参照）の装置本体１１（図５参照）から離れる方向に移動している。
また、表示パネル１２の上端面１２ｃの後縁１２ｄは、表示パネル１２の初期位置の背面１２ｂから距離γ１だけ離れている。即ち、表示パネル１２は、初期位置より前方に位置する。
【００３０】
また、ガイドプレート３３において、上端部に設けられたガイドローラ４４の前後方向の位置が、ガイドプレート３３のカム穴３３ａによっても規制される。図１１では、カム穴３３ａ内のガイドピン５１は、カム穴３３ａの屈曲部３３ｄの近傍の上部穴部３３ｂ内に位置し、側面視において、表示パネル１２の前面１２ａに垂直な方向では、初期位置でのガイドピン５１から距離δ１だけ離れている。即ち、ガイドプレート３３は、アイドラ軸４３を中心にして矢印Ｆの向きに揺動している。このことからも、パネルブラケット２８及び固定ラックギア４１と共に表示パネル１２の上部側は、ガイドプレート３３に対して前方に移動（詳しくは、揺動）している。
このように、ガイドプレート３３のカム穴３３ａによっても、表示パネル１２は、初期位置より前方に位置するように調整される。
【００３１】
図１２は、第１実施形態のチルト機構２０の作用を示す第２作用図である。
なお、図中には、初期状態の表示パネル１２を二点鎖線で示している。
図１１の状態からスライダー２４を、更に矢印Ｇに示すように前方に押し出すと、表示パネル１２は、図１１の状態から、矢印Ｈに示すように更に傾斜する。
このとき、表示パネル１２と共に可動ラックギア３７も同じ傾斜角度θ２だけ傾き、スライダーギア３５と可動ラックギア３７との間に相対回転が生じる。
【００３２】
この結果、可動ラックギア３７は、ラックガイドプレート３２の後壁部３２ｂに対して上方斜め後方に矢印Ｊに示すように移動し、アイドラギア３８が、矢印Ｋに示すように回転しながら固定ラックギア４１と噛み合う。これにより、アイドラギア３８は、矢印Ｌに示すように可動ラックギア３７と同じ方向に移動する。即ち、アイドラギア３８と一体的にガイドプレート３３が上方斜め後方に相対移動する。このときのアイドラギア３８（詳しくは、アイドラ軸４３）の初期位置からの移動量（表示パネル１２の前面１２ａに沿った移動量）はα２（＞α１（図１１参照））である。スライダーギア３５（詳しくは、スライダーギア軸３６）の初期位置からの相対移動量（下部折曲げ部２８ａに対する相対移動量）もα２である。
【００３３】
このとき、表示パネル１２に対するガイドプレート３３の突出量β２（表示パネル１２の上端面１２ｃから、ガイドプレート３３において表示パネル１２の前面１２ａに沿う方向で最も上端の部分までの突出量β２）は、図１１における表示パネル１２の突出量β１より大きい。これは、図１１と比較して、表示パネル１２がガイドプレート３３に対してより下方斜め前方に移動しているということである。即ち、表示パネル１２は、車載装置１０（図３参照）の装置本体１１（図５参照）から離れる方向に更に移動している。
また、表示パネル１２の上端面１２ｃの後縁１２ｄは、表示パネル１２の初期位置の背面１２ｂから距離γ２だけ離れている。即ち、表示パネル１２は、初期位置より前方に位置する。
【００３４】
また、カム穴３３ａ内のガイドピン５１は、下部穴部３３ｃの下端部に位置し、ガイドプレート３３は、側面視において、表示パネル１２の前面１２ａに直交する方向では、初期位置と同じように表示パネル１２に近接している。
表示パネル１２（詳しくは、前面１２ａ）の傾斜角度は、水平に近い前下がりのチルト完了状態では、θ２（＞θ１）となる。傾斜角度θ２は、表示パネル１２が最も大きく傾斜した角度である。
【００３５】
以上の図５に示したように、チルト構造（即ち、チルト機構２０）は、上下移動軸としてのガイド軸４７及び上下案内部としてのガイド部材２６と、前後移動軸としてのスライダーギア軸３６及びパネル案内部としての下部折曲げ部２８ａとを備える。
ガイド軸４７は、パネルとしての表示パネル１２の上端側を上下方向に移動するように規制する。スライダーギア軸３６は、表示パネル１２の下端側を表示パネル１２の前後方向へ移動させる。ガイド部材２６は、ガイド軸４７を案内する。下部折曲げ部２８ａは、スライダーギア軸３６を表示パネル１２に沿って案内する。
【００３６】
この構成によれば、スライダーギア軸３６を表示パネル１２に沿って案内するようにしたことで、表示パネル１２をスライダーギア軸３６に対して相対移動できるため、表示パネル１２と表示パネル１２の近傍とのクリアランスを確保することが可能になり、大型の表示パネル１２でもより適切にチルトできる。
【００３７】
また、図５及び図６に示したように、チルト構造（即ち、チルト機構２０）は、表示パネル１２の傾斜に応じてガイド軸４７及びスライダーギア軸３６を表示パネル１２に対して移動させる軸移動機構５５を備える。
この構成によれば、軸移動機構５５によってガイド軸４７及びスライダーギア軸３６を表示パネル１２に沿って案内することで、表示パネル１２自体を表示パネル１２に沿って移動可能になり、表示パネル１２と表示パネル１２近傍とのクリアランスを確保でき、大型の表示パネル１２のチルト量を確保できる。
【００３８】
また、軸移動機構５５は、スライダー２４、スライダーギア３５、可動ラックギア３７、固定ラックギア４１、アイドラギア３８、ガイドプレート３３を備える。
スライダー２４は、スライダーギア軸３６を前後方向に移動可能である。スライダーギア３５は、スライダー２４の端部に固定されるとともにスライダーギア軸３６を中心に表示パネル１２に対して相対回動可能である。可動ラックギア３７は、スライダーギア３５に対する表示パネル１２の傾斜に伴いスライダーギア３５との噛み合いによって表示パネル１２に沿って移動可能である。固定ラックギア４１は、表示パネル１２に固定されている。アイドラギア３８は、可動ラックギア３７及び固定ラックギア４１のそれぞれに噛み合いながら挟持される。軸支持部材としてのガイドプレート３３は、アイドラギア３８の回転軸としてのアイドラ軸４３及びガイド軸４７を支持する。
【００３９】
この構成によれば、表示パネル１２の傾斜に伴いスライダーギア軸３６に対して表示パネル１２及び固定ラックギア４１を前後方向に相対移動させて表示パネル１２と表示パネル１２の近傍の部品とのクリアランスを確保できる。
【００４０】
また、図５、図１１及び図１２に示したように、ガイドプレート３３は、表示パネル１２側に設けられたガイドピン５１に係合するカム穴３３ａを備え、ガイドピン５１とカム穴３３ａとの係合により、ガイドプレート３３は、表示パネル１２と垂直な方向にアイドラギア３８の回転軸としてのアイドラ軸４３を中心に揺動する。
この構成によれば、表示パネル１２が傾斜しているときに、表示パネル１２と表示パネル１２近傍の部品とのクリアランスを調整できる。
【００４１】
＜第２実施形態＞
図１３は、第２実施形態の初期状態におけるチルト機構７０を示す側面図である。
第２実施形態において、第１実施形態と同一構成については同一符号を付け、詳細説明は省略する。
第２実施形態のチルト機構７０のチルト本体部７１は、図６に示した第１実施形態のチルト本体部２７に対して、ラックガイドプレート７２、スライダーギア７３、可動ラックギア７４、アイドラギア７５、固定ラックギア７６が異なる。
即ち、チルト本体部７１は、ラックガイドプレート７２、スライダーギア７３、スライダーギア軸３６、下部折曲げ部２８ａ、可動ラックギア７４、アイドラギア７５、固定ラックギア７６、ガイドプレート３３（図５参照）、アイドラ軸４３、ガイドローラ４４（図５参照）、アイドラプレート４６、ガイド軸４７（図５参照）を備える。
【００４２】
図６及び図１３において、スライダーギア７３は、第１実施形態のスライダーギア３５に比較して直径（歯先円直径）が大きい。これにより、スライダー２４の移動量が第１実施形態と同じでも、可動ラックギア７４の移動量を大きくできる。
可動ラックギア７４は、第１実施形態の可動ラックギア３７よりも幅広のギア部（不図示）と、ギア部の上端に設けられた間欠ギア係止部（不図示）とを備える。
アイドラギア７５は、ギア部の一部に間欠部（不図示）を備える。
固定ラックギア７６は、第１実施形態の固定ラックギア４１よりも前後方向の高さが高い。
【００４３】
図１４は、初期状態におけるチルト本体部７１の一部を示す正面図である。図１５は、可動ラックギア７４を示す正面図である。図１６は、アイドラギア７５を示す図であり、図１６（Ａ）はアイドラギア７５の右側面図、図１６（Ｂ）は図１６（Ａ）のＢ矢視図、図１６（Ｃ）は図１６（Ｂ）のＣ矢視図である。図１７は、図１４のＸＶＩＩ−ＸＶＩＩ線断面図である。
【００４４】
図１４では、詳しくは、スライダーギア７３、可動ラックギア７４、アイドラギア７５及び固定ラックギア７６を示している。図１４に示すように、スライダーギア７３が可動ラックギア７４に噛み合い、アイドラギア７５が、可動ラックギア７４に係合するとともに固定ラックギア７６に噛み合っている。
図１５に示すように、可動ラックギア７４は、前面７４ａに複数の歯が形成されたギア部７４ｂを備える。
ギア部７４ｂは、拡幅部７４ｃ、狭幅部７４ｄ、上端幅広歯部７４ｅ、ラックギア間欠部７４ｆを備える。
【００４５】
拡幅部７４ｃは、可動ラックギア７４の幅（左右方向の幅）の半分以上の幅を有し、スライダーギア７３（図１４参照）及びアイドラギア７５（図１４参照）の両方が噛み合う複数の歯７４ｇを備える。
狭幅部７４ｄは、拡幅部７４ｃの幅（左右方向の幅）よりも幅が狭く、拡幅部７４ｃの下端から下方に延び、スライダーギア７３（図１４参照）のみが噛み合う複数の歯７４ｈを備える。
【００４６】
上端幅広歯部７４ｅは、拡幅部７４ｃの上端から上方に隔てて設けられてアイドラギア７５（図１４参照）のみが係合する上下に幅広な部分である。ラックギア間欠部７４ｆは、拡幅部７４ｃと上端幅広歯部７４ｅとの間に形成された部分であり、歯が形成されておらず、平坦になっている。
可動ラックギア７４の上端部及び下端部には、それぞれラックピン５４が取付けられている。
【００４７】
図１６（Ａ）〜図１６（Ｃ）に示すように、アイドラギア７５は、右側面７５ａと、左側面７５ｂと、外周部に形成されたギア部７５ｃとを備える。ギア部７５ｃは、複数の歯７５ｄと、単一の歯７５ｅとを備え、歯７５ｅは、歯７５ｄに比べて幅が小さく、歯７５ｅの左側面７５ｂ側は、歯が無いギア間欠部７５ｆとなっている。
図１７に示すように、初期状態では、アイドラギア７５のギア間欠部７５ｆの両側の歯７５ｄは、可動ラックギア７４の上端幅広歯部７４ｅに係合している。詳しくは、一方の歯７５ｄは、可動ラックギア７４の上端幅広歯部７４ｅ上に載り、他方の歯７５ｄは、上端幅広歯部７４ｅの下端部に係合している。
このように、初期状態では、アイドラギア７５の歯７５ｄは、可動ラックギア７４の歯７４ｇに噛み合っていない。これにより、可動ラックギア７４が初期状態から移動し始めても、アイドラギア７５は、すぐには回転せず、遅れて回転し始める。
【００４８】
以上に述べた第２実施形態のチルト機構７０の作用を次に説明する。
図１８は、第２実施形態のチルト機構７０の作用を示す作用図である。図１８（Ａ）はチルト機構７０の初期状態を示す図、図１８（Ｂ）は初期状態からスライダーギア７３が、表示パネル１２（図５参照）に対して相対回転を開始した直後の状態を示す図、図１８（Ｃ）はチルト機構７０のチルト完了状態を示す図である。
図１８（Ａ）に示すように、アイドラギア７５のギア間欠部７５ｆに隣接する歯７５ｄは、可動ラックギア７４のラックギア間欠部７４ｆに隣接する歯７４ｇに噛み合っていない。
【００４９】
これにより、図１８（Ｂ）に示すように、可動ラックギア７４が、スライダーギア７３との噛み合いによって図１８（Ａ）の初期位置から距離Ｌ１だけ移動しても、アイドラギア７５は回転しない。
このとき、アイドラギア７５のギア間欠部７５ｆに隣接する歯７５ｄは、可動ラックギア７４のラックギア間欠部７４ｆに隣接する歯７４ｇに当たる。即ち、この状態では、アイドラギア７５の歯７５ｄは、可動ラックギア７４の歯７４ｇと噛み合い始める。
【００５０】
図１８（Ｂ），（Ｃ）に示すように、スライダーギア７３と可動ラックギア７４との相対移動が更に進み、可動ラックギア７４が最も上方に移動するまでは、アイドラギア７５は、可動ラックギア７４及び固定ラックギア７６と噛み合い続け、図１８（Ａ），（Ｂ）に示した位置から距離Ｌ２だけ移動してチルト完了状態となる。
アイドラギア７５が固定ラックギア７６に対して相対移動することは、固定ラックギア７６が取付けられた表示パネル１２（図６参照）が、装置本体１１（図６参照）に対して下方及び前方に移動することである。
【００５１】
図１３及び図１８に示したように、スライダー２４が作動を開始してから、アイドラギア７５を遅れて回転させるようにすることで、直立に近い状態の表示パネル１２が下がり始めるのを遅らせて表示パネル１２の下端が、初期位置よりも下がることを防止できる。これにより、表示パネル１２と、表示パネル１２の下方の部品とのクリアランスを確保できる。
また、スライダーギア７３の直径を大きくして可動ラックギア７４の移動量を大きくすることで、アイドラギア７５が遅れて回転し始めたときの可動ラックギア７４の移動量を、アイドラギア７５の回転遅れがない場合の可動ラックギア７４の移動量と同一又は略同一に確保できる。
【００５２】
図１３、図１５及び図１６（Ａ）〜図１６（Ｃ）に示したように、アイドラギア７５は、歯が欠けたギア間欠部７５ｆを備え、可動ラックギア７４は、歯が欠けたラックギア間欠部７４ｆと、ラックギア間欠部７４ｆに隣接してギア間欠部７５ｆに係合可能な幅広歯部としての上端幅広歯部７４ｅを備える。
この構成によれば、可動ラックギア７４が移動を開始した後に、アイドラギア７５の回転開始を遅らせることができ、表示パネル１２の移動開始直後の下方への移動を防止することができる。この結果、表示パネル１２と、表示パネル１２の下方に配置された部品との間にクリアランスを確保できる。
【００５３】
＜第３実施形態＞
図１９は、第３実施形態の初期状態におけるチルト機構８０を示す側面図である。
第３実施形態において、第１実施形態と同一構成については同一符号を付け、詳細説明は省略する。
第３実施形態のチルト機構８０のチルト本体部８１は、図６に示した第１実施形態のチルト本体部２７に対して、ラックガイドプレート８２、スライダーギア８３、可動ラックギア８４、アイドラギア８５、固定ラックギア８６が異なる。
即ち、チルト本体部８１は、ラックガイドプレート８２、スライダーギア８３、スライダーギア軸３６、下部折曲げ部２８ａ、可動ラックギア８４、アイドラギア８５、固定ラックギア８６、ガイドプレート３３（図５参照）、アイドラ軸４３、ガイドローラ４４（図５参照）、アイドラプレート４６、ガイド軸４７（図５参照）を備える。
【００５４】
図６及び図１９において、スライダーギア８３は、第１実施形態のスライダーギア３５に比較して直径（歯先円直径）が小さい。これにより、可動ラックギア８４をより前方に配置でき、ラックガイドプレート８２を小さくできて、チルト本体部８１、ひいてはチルト機構８０をコンパクトにできる。
アイドラギア８５は、一対のギア（不図示）が一体に設けられている。
可動ラックギア８４は、アイドラギア８５の形状変更に伴い、第１実施形態の可動ラックギア３７に対して形状変更されている。
固定ラックギア８６は、第１実施形態の固定ラックギア４１よりも前後方向の高さが低い。
【００５５】
図２０は、初期状態におけるチルト本体部８１の一部を示す正面図である。図２１は、可動ラックギア８４を示す正面図である。図２２は、アイドラギア８５を示す図であり、図２２（Ａ）はアイドラギア８５の右側面図、図２２（Ｂ）は図１６（Ａ）のＢ矢視図、図２２（Ｃ）は図２２（Ｂ）のＣ矢視図である。図２３は、図２０のＸＸＩＩＩ−ＸＸＩＩＩ線断面図である。
【００５６】
図２０では、詳しくは、チルト本体部８１のスライダーギア８３、可動ラックギア８４、アイドラギア８５及び固定ラックギア８６を示している。図２０に示すように、スライダーギア８３が可動ラックギア８４に噛み合い、アイドラギア８５が、可動ラックギア８４に係合するとともに固定ラックギア７６に噛み合っている。
図２１に示すように、可動ラックギア８４は、前面８４ａの左側半分にギア部８４ｂを備える。
ギア部８４ｂは、下部ギア部８４ｃ、上端幅広歯部８４ｅ、ラックギア間欠部８４ｆを備える。
【００５７】
下部ギア部８４ｃは、スライダーギア８３及びアイドラギア８５の両方が噛み合う複数の歯８４ｇを備える。
上端幅広歯部８４ｅは、下部ギア部８４ｃの上端から上方に隔てて設けられてアイドラギア７５（図２０参照）のみが係合する上下に幅広な部分である。ラックギア間欠部８４ｆは、下部ギア部８４ｃと上端幅広歯部８４ｅとの間に形成された部分であり、歯が形成されておらず、平坦にされている。
可動ラックギア８４は、下部ギア部８４ｃ及び上端幅広歯部８４ｅに隣接して上下に長い矩形のラック穴部８４ｈが開けられている。ラック穴部８４ｈは、アイドラギア８５の一部が可動ラックギア８４の前面８４ａと干渉しないようにする部分である。
【００５８】
図２２（Ａ）〜図２２（Ｃ）に示すように、アイドラギア８５は、右側面８５ａを有する右側ギア８５ｂと、左側面８５ｃを有する左側ギア８５ｄとを一体に備える。
右側ギア８５ｂは、左側ギア８５ｄよりも直径（基準円直径）が大きく、固定ラックギア８６（図２０参照）に噛み合う複数の歯８５ｅを備える。複数の歯８５ｅは、右側ギア８５ｂの半円形状の部分にのみ形成されている。
左側ギア８５ｄは、外周部に、可動ラックギア８４（図２０参照）に噛み合う複数の歯８５ｆと、歯が無いギア間欠部８５ｇとを備える。
上記したように、固定ラックギア８６に噛み合う右側ギア８５ｂを大きくすることで、固定ラックギア８６に対するアイドラギア８５の相対移動量をより大きくできる。
【００５９】
図２３に示すように、初期状態では、アイドラギア８５の左側ギア８５ｄにおけるギア間欠部８５ｇの両側の歯８５ｆは、可動ラックギア８４の上端幅広歯部８４ｅの下端部に係合している。詳しくは、一方の歯８５ｆは、可動ラックギア８４の上端幅広歯部８４ｅ上に載り、他方の歯８５ｆは、上端幅広歯部８４ｅの下端部に係合している。
このように、初期状態では、左側ギア８５ｄの歯８５ｆは、可動ラックギア８４の歯８４ｇに噛み合っていない。これにより、可動ラックギア８４が初期状態から移動し始めても、アイドラギア８５は、すぐには回転せず、遅れて回転し始める。
【００６０】
以上に述べた第３実施形態のチルト機構８０の作用を次に説明する。
図２４は、第３実施形態のチルト機構８０の作用を示す作用図である。図２４（Ａ）はチルト機構８０の初期状態を示す図、図２４（Ｂ）は初期状態からスライダーギア８３が、表示パネル１２（図５参照）に対して相対回転を開始した直後の状態を示す図、図２４（Ｃ）はチルト機構８０のチルト完了状態を示す図である。
図２４（Ａ）に示すように、アイドラギア８５の左側ギア８５ｄの歯８５ｆ（詳しくは、左側ギア８５ｄのギア間欠部８５ｇに隣接する歯８５ｆ）は、可動ラックギア８４の歯８４ｇ（詳しくは、可動ラックギア８４のラックギア間欠部８４ｆに隣接する歯８４ｇ）に噛み合っていない。
これにより、図２４（Ｂ）に示すように、可動ラックギア８４が、スライダーギア８３との噛み合いによって図２４（Ａ）の初期位置から距離Ｌ３だけ移動しても、アイドラギア８５は回転しない。
【００６１】
このとき、アイドラギア８５の左側ギア８５ｄの歯８５ｆ（詳しくは、左側ギア８５ｄのギア間欠部８５ｇに隣接する歯８５ｆ）は、可動ラックギア８４の歯８４ｇ（詳しくは、可動ラックギア８４のラックギア間欠部８４ｆに隣接する歯８４ｇ）に当たる。即ち、この状態では、アイドラギア８５の歯８５ｆは、可動ラックギア８４の歯８４ｇと噛み合い始める。
【００６２】
図２４（Ｂ），（Ｃ）に示すように、スライダーギア８３と可動ラックギア８４との相対移動が更に進み、可動ラックギア８４が最も上方に移動するまでは、アイドラギア８５は、可動ラックギア８４及び固定ラックギア８６と噛み合い続け、図２４（Ａ），（Ｂ）に示した位置から距離Ｌ４だけ移動してチルト完了状態となる。
アイドラギア８５が固定ラックギア８６に対して相対移動することは、固定ラックギア８６が取付けられた表示パネル１２（図６参照）が、装置本体１１（図６参照）に対して下方及び前方に移動することである。
【００６３】
図６及び図１９に示したように、第３実施形態では、スライダーギア８３の歯先円直径を小さくすることで、可動ラックギア８４の移動量が小さくなるため、アイドラギア８５を２つのギア（右側ギア８５ｂ及び左側ギア８５ｄ）で構成している。更に、可動ラックギア８４に噛み合う左側ギア８５ｄよりも固定ラックギア８６に噛み合う右側ギア８５ｂの歯先円直径を大きくしている。この結果、可動ラックギア８４に対する左側ギア８５ｄの移動量に比べて固定ラックギア８６に対する右側ギア８５ｂの移動量が大きくなっている。これにより、第３実施形態のガイドプレート３３の移動量を、第１実施形態の固定ラックギア４１に対するガイドプレート３３の移動量と同一又は略同一に確保できる。
【００６４】
図１９、図２１及び図２２（Ａ）〜図２２（Ｃ）に示したように、アイドラギア８５は、可動ラックギア８４に噛み合う小径ギアとしての左側ギア８５ｄと、固定ラックギア８６に噛み合う大径ギアとしての右側ギア８５ｂとから構成される。
この構成によれば、歯先円直径が小さい左側ギア８５ｄと歯先円直径が大きい右側ギア８５ｂとでアイドラギア８５の移動を増速でき、スライダーギア８３をより小径にできて、チルト構造（即ち、チルト機構８０）を小型にできる。
【００６５】
上述した実施形態は、あくまでも本発明の一態様を示すものであり、本発明の主旨を逸脱しない範囲で任意に変形及び応用が可能である。
例えば、上記実施形態において、図４及び図５において、下部折曲げ部２８ａを、パネルブラケット２８に設けたが、これに限らず、下部折曲げ部２８ａをラックガイドプレート３２に設けても良い。
【符号の説明】
【００６６】
１２  表示パネル（パネル）
２０，７０，８０  チルト機構
２４  スライダー
２６  ガイド部材（上下案内部）
２８ａ  下部折曲げ部（パネル案内部）
３３  ガイドプレート（軸支持部材）
３５，７３，８３  スライダーギア
３６  スライダーギア軸（前後移動軸）
３７，７４，８４  可動ラックギア
３８，７５，８５  アイドラギア
４１，７６，８６  固定ラックギア
４３  アイドラ軸（アイドラギアの回転軸）
４７  ガイド軸（上下移動軸）
５５  軸移動機構
７４ｅ  上端幅広歯部
７４ｆ  ラックギア間欠部
７５ｆ  ギア間欠部
８５ｂ  右側ギア（大径ギア）
８５ｄ  左側ギア（小径ギア）
【図１】
2020107788.tif 000003
【図２】
2020107788.tif 000004
【図３】
2020107788.tif 000005
【図４】
2020107788.tif 000006
【図５】
2020107788.tif 000007
【図６】
2020107788.tif 000008
【図７】
2020107788.tif 000009
【図８】
2020107788.tif 000010
【図９】
2020107788.tif 000011
【図１０】
2020107788.tif 000012
【図１１】
2020107788.tif 000013
【図１２】
2020107788.tif 000014
【図１３】
2020107788.tif 000015
【図１４】
2020107788.tif 000016
【図１５】
2020107788.tif 000017
【図１６】
2020107788.tif 000018
【図１７】
2020107788.tif 000019
【図１８】
2020107788.tif 000020
【図１９】
2020107788.tif 000021
【図２０】
2020107788.tif 000022
【図２１】
2020107788.tif 000023
【図２２】
2020107788.tif 000024
【図２３】
2020107788.tif 000025
【図２４】
2020107788.tif 000026